(57)【要約】      （修正有）【課題】線香立ての灰の表面にきれいな円模様を描くこと。【解決手段】軸受け２を中心部に有するアーム１の端に、滑り止め８を有する補助アームを７伸縮可能に構成し、つまみ４と櫛取り付け部５を設けた回転軸３を軸受けに組み合わせ、しかる後、櫛取り付け部に櫛６を取り付けた事を特徴としており、コンパスを用いたように灰の表面に同心円の模様を描く事を容易にした。【選択図】図１
2010142434.tif 000002
【特許請求の範囲】
【請求項１】
軸受け（２）を中心部に有するアーム（１）の両端に、滑り止め（８）を有する補助アーム（７）をスライド可能に構成する。次につまみ（４）を上端に有し、下端に櫛取り付け部（５）を構成した回転軸（３）を前記軸受け（２）に組み合わせ、前記櫛取り付け部（５）に櫛（６）を取り付けた事を特徴とする回転灰均し器。
【請求項２】
櫛（６）又は櫛取り付け部（５）に磁石を組み合わせ、櫛取り付け部（５）又は櫛（６）を着磁性の材質で構成した事を特徴とした特許請求の範囲第１項による回転灰均し器。
【請求項３】
軸受け（２）上部にバネ（９）を組み合わせた事を特徴とした特許請求の範囲第１項及び第２項による回転灰均し器。
【請求項４】
アーム（１）を折りたためるように構成した事を特徴とした特許請求の範囲第１項、第２項及び第３項による回転灰均し器。
【請求項５】
一端を軸受けにし、他端に滑り止め（８）を有する補助アーム（７）をスライド可能に組み合わせる事を可能とした分割アーム（１´）を複数組み合わせてアーム（１）を構成した事を特徴とした特許請求の範囲第１項、第２項、第３項及び第４項よる回転灰均し器。
【請求項６】
分割アーム（１´）を３本の組構成として軸受け部で結合し、その中のひとつに櫛取り付け部（５）を構成し、しかる櫛取り付け部（５）に櫛（６）を組み合わせた事を特徴とした回転灰均し器。
【発明の詳細な説明】
【技術分野】
【０００１】
本発明は、線香立ての灰の表面に枯れ山水の庭園風に円模様を描く為の灰均し器に関するものである。
【０００２】
従来の灰均しは１枚の板を切り抜いた平面のヘラ状のものであり円模様を描く目的のものは見受けられなかった。
【背景技術】
【０００３】
灰均しは、囲炉裏で炭を燃やす際に炭の補給や火力調整に灰の操作をする時のヘラとして、火箸と並んで用いられる事が主な役目であったが、その他の役目として灰の表面を均一にならして美観を保つ為の用具としての重要な役も担っていた道具である。
【０００４】
従来の灰均しの場合、単に表面を平らにする目的が主であり、特に同心円状の模様を描くという目的は存在しなかった。
【特許文献１】特願２００８−２８３８０５
【発明の開示】
【発明が解決しようとする課題】
【０００５】
解決しようとする課題は、線香立ての灰の表面にきれいな同心円の模様を描く事である。
【課題を解決するための手段】
【０００６】
軸受け（２）を有するアーム（１）の端に、滑り止め（８）を有する補助アーム（７）をスライド可能に構成し、次につまみ（４）を上端に有し、下端に櫛取り付け部（５）を構成した回転軸（３）を前記軸受け（２）に組み合わせ、前記櫛取り付け部（５）に櫛（６）を取り付けた事を特徴としている。
【発明の効果】
【０００７】
枯山水の庭園に見られる砂の模様は日本庭園の美しさの代表的な部分として多くの人々の心を魅了してきた事は承知の通りである。この枯山水の砂に描かれた模様を美しいと思う美的感性の延長線上に、仏壇の小さな線香立ての灰の表面に円い砂模様を描こうとする要求が芽生えるのであろうと容易に推測が出来るところである。
【０００８】
本発明はこのような美意識の満足を手助けする事を可能としたものである。
【実施例】
【０００９】
本発明における回転灰均し器は、誰でも簡単に線香立ての表面に同心円状の模様を描く事を可能とすべく考えられたものである。線香立ての上にアーム（１）を渡し、そのアームに櫛（６）を取り付けた回転軸（３）を保持させて櫛（６）を回転させ同心円の模様を描く事を特徴とする。
【００１０】
請求項１によるアーム（１）は中心に軸受け部（２）を有し、当該軸受けに回転軸（３）が組み合わされている。線香立ては各種の大きさの物がある為、その直径にあわせて滑り止め（８）の位置を保持できるようにスライド式に動く補助アーム（７）が構成されている。
【００１１】
滑り止め（８）は線香立ての外周縁に乗り安定すべく適切な形状、材質が用いられる。軸受け（２）に回転軸（３）を通すが、回転軸には上部につまみ（４）を螺子を利用して固定し、下端に櫛受け部（５）がビス止め固定される。
つまみを指で回すと櫛受け部（５）が回転する。
櫛受け部（５）に櫛（６）を取り付ける事により、結果として櫛（６）を灰の上に円を描くように回転させる事が可能となる。
【００１２】
請求項２について説明する。
櫛（６）と櫛受け部（５）の固定方法に磁力を利用するとより扱いが簡単になり便利となる。櫛に磁石を設けた際は櫛受け部側を磁石に着く材質で設ければよく、櫛受け部側に磁石を設けた場合は櫛を着磁性の材質で構成する。
【００１３】
櫛（６）の長さにより描ける円の大きさが決まるが、櫛受け部（５）の取り付け位置の変更と櫛の取り付け位置の変更でフリーサイズのように対応する事が可能となる。すなわち、櫛の長さを半径とした円が最大となり、櫛の長さを直径とした円のサイズが最小となる。
【００１４】
請求項３について説明する。
つまみ（４）と軸受け（２）の間にバネ（９）を挿入する事により櫛（６）を上下に位置変更して保持する事が容易になる。上げた状態では灰から櫛の先端が離れる位置になり、下げた時は灰に接触する位置を自由に選択できるようになり模様の書きはじめと書き終わりの境界部分の段差を解消する事が容易に可能となる。
【００１５】
請求項４について説明する。
アームを分割して折りたたみを可能としたものである。  立て方向に折りたたむ場合と横方向に折りたたむ場合があるがヒンジ部分は既知の技術が応用でき、多くの方法が利用できる。
【００１６】
請求項５について説明する。
一端を軸受けにし、他端に滑り止め（８）を有する補助アーム（７）をスライド可能に組み合わせる事を可能とした分割アーム（１´）を複数組み合わせてアーム（１）を構成し線香立ての中心を保持しやすくした事を特徴としている。
【００１７】
請求項６について説明する。
分割アーム（１´）は請求項５と同じ構成にし、櫛保持部のみを分割アーム（１´）の１つに設ける事を特徴とする回転灰均し器である。この場合は回転軸（３）は不要となり軸受け部位置を要とした扇の支点になればよい。
【産業上の利用可能性】
【００１８】
本発明により、線香立ての灰の表面にきれいな円模様を描く事が可能となった。
【図面の簡単な説明】
【００１９】
【図１】は本発明による回転灰均し器の断面図である。
【図２】は本発明による回転灰均し器の使用図である。
【図３】は本発明請求項４によるによる回転灰均し器の説明図である。
【図４】は本発明請求項５による分割アームと補助アームの断面図である。
【図５】は本発明請求項５による分割アームと補助アームの正面図である。
【図６】は本発明請求項５による回転灰均し器の使用図である。
【図７】は本発明請求項６による回転灰均し器の使用図である。
【符号の説明】
【００２０】
１    アーム
１´  分割アーム
２   軸受け
３   回転軸
４   つまみ
５   櫛取り付け部
６   櫛
７   補助アーム
８   滑り止め
９   バネ
Ａ   線香立て
【図１】
2010142434.tif 000003
【図２】
2010142434.tif 000004
【図３】
2010142434.tif 000005
【図４】
2010142434.tif 000006
【図５】
2010142434.tif 000007
【図６】
2010142434.tif 000008
【図７】
2010142434.tif 000009